(57)【要約】【課題】生体に近い散乱係数を有するファントムを提供すること。【解決手段】水と、油と、乳化剤と、水凝固剤とを含有し、７５０〜１０００ｎｍの波長における散乱係数が５〜２０ｃｍ−１である、ファントム。【選択図】なし【特許請求の範囲】
【請求項１】
水と、油と、乳化剤と、水凝固剤とを含有し、
７５０〜１０００ｎｍの波長における散乱係数が５〜２０ｃｍ−１である、ファントム。
【請求項２】
前記水凝固剤が、寒天である、請求項１に記載のファントム。
【請求項３】
水、油、乳化剤及び水凝固剤を混合して混合液を得る混合工程を備える、ファントムの製造方法であって、
前記ファントムの７５０〜１０００ｎｍの波長における散乱係数が５〜２０ｃｍ−１である、ファントムの製造方法。
【請求項４】
前記混合工程が、前記水の少なくとも一部、前記油、及び前記乳化剤が存在する条件下で攪拌を行い水中油型エマルションを生成させることを含む、請求項３に記載のファントムの製造方法。
【請求項５】
前記混合液を固化する工程を備える、請求項３又は４に記載のファントムの製造方法。
【発明の詳細な説明】
【技術分野】
【０００１】
本発明は、ファントム及びその製造方法に関する。
【背景技術】
【０００２】
６５０〜１０００ｎｍの範囲における近赤外分光法（ＮＩＲＳ）は、非侵襲的にヒト組織中のヘモグロビン、水及び脂肪の光吸収情報を得るために広く使われている。ＮＩＲＳは、例えば、乳癌のネオアジュバント化学療法における腫瘍反応をモニタリングする手法として用いられている。ＮＩＲＳを適用する際には、ヘモグロビン濃度に加えて、水及び脂肪の量を正確に測定することが重要である。ヘモグロビン濃度並びに水及び脂肪の量は、例えば、血管新生活性、抗炎症応答及び浮腫体積を反映し、化学療法における予後バイオマーカーになり得る。水及び脂肪量を所定の範囲にコントロール可能なファントムは、ＮＩＲＳシステムにおいて水及び脂肪量の測定精度を評価するために有用である。
【０００３】
水及び脂肪を様々な比率で含むファントムについては、これまでにも種々の提案なされている。例えば、非特許文献１では、異なる水・脂肪量で乳化した液体ファントムが作製され、装置評価が行われている。非特許文献２では、水・油を乳化せずに、増粘剤を練りこんで作製された固体ファントムが開示されている。また、特許文献１には、水相と油相とを含む、比吸収測定、全放射電力測定又は全放射感度測定に使用されるマネキン又はファントムを充填するための所定の水中油型エマルションが開示されており、特許文献２には、精製水と植物油と洗剤とを混合し、該精製水と植物油と洗剤との混合割合により電気的特性を調整し、寒天と増粘剤によりゲル状にして生成されたことを特徴とする脂肪等価ファントムが開示されている。
【先行技術文献】
【特許文献】
【０００４】
【特許文献１】特許第６１４０７２０号公報
【特許文献２】特開２００８−１１９２８６号公報
【非特許文献】
【０００５】
【非特許文献１】Ｍｅｒｒｉｔｔ  ｅｔ．ａｌ．，Ｔｅｃｈｎｏｌ  Ｃａｎｃｅｒ  Ｒｅｓ  Ｔｒｅａｔ．，２００３，２（６），５６３−５６９
【非特許文献２】Ｍｉｃｈａｅｌｓｅｎ  ｅｔ．ａｌ．，２０１４，Ｊｏｕｒｎａｌ  ｏｆ  Ｂｉｏｍｅｄｉｃａｌ  Ｏｐｔｉｃｓ，２０１４，１９（２），０２６０１２
【発明の概要】
【発明が解決しようとする課題】
【０００６】
ＮＩＲＳ等による光計測に使用されるファントムは、生体に近い散乱係数を有することが望ましい。
【０００７】
本発明は、上記事情に鑑みてなされてものであり、生体に近い散乱係数を有するファントムを提供することを目的とする。
【課題を解決するための手段】
【０００８】
本発明は、水と、油と、乳化剤と、水凝固剤とを含有し、７５０〜１０００ｎｍの波長における散乱係数が５〜２０ｃｍ−１である、ファントムに関する。本発明は、上記構成を有するため、生体に近い散乱係数を有している。水凝固剤は、寒天であってよい。
【０００９】
本発明は、水、油、乳化剤及び水凝固剤を混合して混合液を得る混合工程を備える、ファントムの製造方法であって、ファントムの７５０〜１０００ｎｍの波長における散乱係数が５〜２０ｃｍ−１である、製造方法に関する。
【００１０】
混合工程は、水の少なくとも一部、油、及び乳化剤が存在する条件下で攪拌を行い水中油型エマルションを生成させることを含むことが好ましい。
【００１１】
本発明のファントムの製造方法は、混合液を固化する工程を備えていてよい。
【発明の効果】
【００１２】
本発明によれば、生体に近い散乱係数を有するファントムを提供することができる。本発明のファントムは、光特性（吸収係数及び散乱係数）の長期安定性にも優れている。
【図面の簡単な説明】
【００１３】
【図１】エマルション型を確認した結果を示す顕微鏡写真である。
【図２】６波長時間分解分光システムの装置を説明するための図である。
【図３】各種ファントムの上面及び切断面を示す写真である。
【図４】ファントムの脂肪量分布の測定結果を示すグラフである。
【図５】ファントムの吸収係数及び散乱係数の測定結果を示すグラフである。
【図６】ファントムの水及び脂肪量の測定結果を示すグラフである。
【図７】ファントムの光特性の長期安定性の試験結果を示すグラフである。
【発明を実施するための形態】
【００１４】
以下、本発明を実施するための形態について詳細に説明する。ただし、本発明は以下の実施形態に限定されるものではない。
【００１５】
〔ファントム〕
本実施形態のファントムは、水と、油と、乳化剤と、水凝固剤とを含有し、７５０〜１０００ｎｍの波長における散乱係数が５〜２０ｃｍ−１である。本実施形態のファントムは、例えば、光計測用、電気計測用、物理的特性計測用等に用いることができる。本実施形態のファントムは、生体に近い散乱係数を有しているため、光計測用ファントムとして好適に用いることができる。更に、本実施形態のファントムは、光特性（吸収係数及び散乱係数）の長期安定性にも優れている。
【００１６】
本実施形態のファントムは、上述の成分を含有する乳化物であり、好ましくは水中油型乳化物（水中油型エマルション）である。本実施形態のファントムは、液状、固体状又はゲル状であってよい。本実施形態のファントムは、１５〜４５℃（好ましくは３７℃）において固体状である（固体ファントムである）ことが好ましい。
【００１７】
水としては、例えば、蒸留水、常水、精製水、滅菌精製水、注射用水及び注射用蒸留水等を挙げることができる。
【００１８】
油としては、植物油、動物油、鉱物油等が挙げられる。植物油としては、例えば、大豆油、菜種油、オリーブ油、ヤシ油等が挙げられる。動物油としては、例えば、ラード、魚油、スクワラン、蜜蝋等が挙げられる。鉱物油としては、例えば、パラフィン、水添ポリイソブテン、流動パラフィン、ゲル化炭化水素（プラスチベース等）、ワセリン等が挙げられる。油は、１種を単独で使用してもよく、２種以上を組み合わせて使用してもよい。
【００１９】
ファントム中の油（脂肪）に対する水の体積比（水：油）は、９９：１〜１：９９であってよく、９９：１〜４０：６０であることが好ましく、８０：２０〜６０：４０であることがより好ましい。
【００２０】
乳化剤としては、例えば、レシチン、酵素分解レシチン（例えば、ＳＬＰ−ホワイトリゾ等）、ポリソルベート２０、ソルビタンモノステアレートが挙げられる。乳化剤は、使用する油のＨｌｂに近いＨｌｂの乳化剤であることが好ましい。レシチンとしては、卵黄由来レシチン（卵黄レシチン）、大豆由来レシチン（大豆レシチン）であってもよい。乳化剤は、レシチンであることが好ましい。
【００２１】
乳化剤の含有量は、油１００質量％に対して、０．５質量％以上、０．６質量％以上、０．７質量％以上、０．８質量％以上、０．９質量％以上又は１．０質量％以上であってよく、５．０質量％以下、３．０質量％以下、２．０質量％以下又は１．５質量％以下であってよい。
【００２２】
水凝固剤は、水を含む液体を固形化可能な物質をいう。水凝固剤としては、例えば、寒天、グアーガム、アガー、ペクチン、ゼラチンが挙げられる。水凝固剤は、水溶性であってよい。ここで、水溶性であるとは、２５℃の水に対する溶解度が１．０ｇ／１００ｍＬ以上であることをいう。
【００２３】
水凝固剤の含有量は、ファントム全量に対して、０．１質量％以上、０．２質量％以上、０．３質量％以上、０．４質量％以上又は０．５質量％以上であってよく、５．０質量％以下、３．０質量％以下、１．０質量％以下、０．８質量％以下、０．７質量％以下、又は０．６質量％以下であってよい。
【００２４】
本実施形態のファントムの７５０〜１０００ｎｍの波長における散乱係数は、５〜２０ｃｍ−１である。７５０〜１０００ｎｍの波長における散乱係数の下限値は、５ｃｍ−１以上、６ｃｍ−１以上、７ｃｍ−１以上、８ｃｍ−１以上、９ｃｍ−１以上又は１０ｃｍ−１以上であってよく、本実施形態のファントムの７５０〜１０００ｎｍの波長における散乱係数の上限値は、２０ｃｍ−１以下、１９ｃｍ−１以下、１８ｃｍ−１以下、１７ｃｍ−１以下、１６ｃｍ−１以下、１５ｃｍ−１以下、１４ｃｍ−１以下、１３ｃｍ−１以下、１２ｃｍ−１以下又は１１ｃｍ−１以下であってよい。
【００２５】
７５０〜１０００ｎｍの波長における散乱係数は、後述する実施例に記載の方法で測定される等方換算散乱係数（ｒｅｄｕｃｅｄ  ｓｃａｔｔｅｒｉｎｇ  ｃｏｅｆｆｉｃｉｅｎｔ）である。
【００２６】
７００〜１０００ｎｍの波長における散乱係数は、使用する油及び乳化剤の種類及び使用量並びに乳化条件（例えば乳化時の温度）の制御等により調整することができる。
【００２７】
ファントムは、水、油、乳化剤及び水凝固剤以外の成分（他の成分）を含有していてよい。他の成分としては、例えば、防腐剤、インク等が挙げられる。
【００２８】
本実施形態のファントムは、１５〜４５℃において固体状にすることができるため、例えば、水・脂肪比率（油に対する水の体積比）が異なるファントムを複数個積層した積層体として用いることもできる。
【００２９】
〔ファントムの製造方法〕
本実施形態のファントムの製造方法の一例を説明する。本実施形態のファントムの製造方法は、水、油、乳化剤及び水凝固剤を混合して混合液を得る混合工程を備える、ファントムの製造方法であって、ファントムの７５０〜１０００ｎｍの波長における散乱係数は、５〜２０ｃｍ−１である。ファントムの７５０〜１０００ｎｍの波長における散乱係数は、上述した範囲内であってよい。
【００３０】
混合工程は、水の少なくとも一部、油、及び乳化剤が存在する条件下で攪拌を行い水中油型エマルションを生成させることを含むことが好ましい。撹拌は、水の少なくとも一部、油、及び乳化剤に加えて、水凝固剤が更に存在する条件下で行ってよく、水凝固剤が存在しない条件下で行ってもよい。混合工程は、例えば、水の少なくとも一部、油及び乳化剤を一気に混ぜ込んでから、攪拌することにより行うことができる。撹拌は、ブレンダーを使用して実施することができる。
【００３１】
混合工程では、例えば、水、油及び乳化剤の混合物と、水凝固剤とを混合してもよく、乳化剤存在下で、油と、水及び水凝固剤とを混合してもよい。
【００３２】
水、油及び乳化剤の混合物は、水中油型エマルションが生成されたもの（水中油型乳化物）であってよい。水、油及び乳化剤を含む混合物として、市販品をそのまま用いることもできる。水、油及び乳化剤を含む混合物として使用可能な市販品としては、例えば、イントラリポス（登録商標）輸液、イントラリピッド、Ｌｉｐｏｖｅｎｏｅｓ、ＣｌｉｎＯｌｅｉｃ（ＯＰＴＩＣＳ  ＥＸＰＲＥＳＳ，２００８年，１６巻，８号，５９０８−５９２５のＴａｂｌｅ．１参照）等が挙げられる。水凝固剤は、水に溶解し、水と共に混合してもよい。
【００３３】
水は、油（脂肪）に対して、体積比（水：油）で、１：９９〜９９：１となるように混合してよく、９９：１〜４０：６０となるように混合することが好ましく、８０：２０：６０：４０となるように混合することがより好ましい。
【００３４】
乳化剤はレシチンであることが好ましい。この場合、生体に近い散乱係数を有するファントムがより一層容易に製造可能となる。
【００３５】
本実施形態のファントムの製造方法は、混合工程の後に、混合液を固化する固化工程を備えていてよい。固化工程は、例えば、混合液を０〜１０℃、２〜８℃又は３〜６℃で静置することにより実施することができる。固化工程は、例えば、混合液を冷蔵庫内に静置することにより実施することができる。
【００３６】
また、本実施形態のファントムの製造方法は、混合工程の後、かつ固化工程の前に、混合液を０〜１０℃で攪拌する撹拌工程を備えていてもよい。撹拌する際の温度は、０℃以上又は０℃超であってよく、１０℃以下又は５℃以下であってよい。撹拌工程は、例えば、混合液を氷水浴中で攪拌することにより実施することができる。撹拌工程は、混合液が固化しはじめた段階で終了してよい。
【００３７】
〔ファントム作製用キット〕
本発明の一実施形態として、水と、油と、乳化剤と、水凝固剤とを含有する、ファントム作製用キット（以下、「本キット」ともいう。）が提供される。乳化剤及び水凝固剤は、それぞれ水又は油に予め混合されていてもよく、独立して本キットに含まれていてもよい。本キットは、上述した他の成分（防腐剤、インク等）を更に含有していてもよい。他の成分は、水、油、乳化剤又は水凝固剤と予め混合されていてもよく、これらとは独立して本キットに含まれていてもよい。
【実施例】
【００３８】
以下、本発明を実施例に基づいてより具体的に説明する。ただし、本発明は以下の実施例に限定されるものではない。
【００３９】
＜ファントムの作製＞
実施例１
水１２００ｍＬを煮沸し、煮沸した水に寒天６ｇを溶かした（水１０００ｍＬに５ｇの配分）。寒天を溶かした水を網でこしながら、９５０ｍＬとりだし、６０℃まで冷却した。これに、イントラリポス（登録商標）輸液２０％（株式会社大塚製薬工場）を５０ｍＬ溶かした。得られた混合液を容器に移し、氷水で冷やしながら、ガラス棒でかきまぜ、固まりはじめた段階で冷蔵庫にいれて固化させた。これにより、実施例１のファントム（水：脂肪＝９９：１（体積比））を得た。イントラリポス（登録商標）輸液２０％は、５０ｍＬあたり、精製大豆油１０ｇ、精製卵黄レシチン０．６ｇ、濃グリセリン１．１ｇ、水酸化ナトリウム（ｐＨ調整剤）適量を含み、エマルション型は、水中油型である。
【００４０】
実施例２
大豆油（理研農産加工株式会社）２００ｍＬ（１８３ｇ）に大豆由来レシチン（富士フイルム和光純薬工業株式会社製）１．８ｇ（大豆油１００質量％に対して１質量％）を溶かし、６０℃の恒温槽であたためた。水１０００ｍＬを煮沸し、寒天６．２ｇを溶かした（水８００ｍＬに５ｇの配分）。寒天を溶かした水を網でこしながら、８００ｍＬをとりだし、６０℃まで冷却した。次いで、寒天を溶かした水に、大豆由来レシチンが含有された大豆油を一気に混ぜ込んでから、ブレンダーで攪拌した。得られた混合液を容器に移し、氷水で冷やしながら、ガラス棒でかきまぜ、固まりはじめた段階で冷蔵庫にいれ固化させた。これにより、実施例２のファントム（水：脂肪＝８０：２０（体積比））を得た。
【００４１】
実施例３
大豆油（理研農産加工株式会社）４００ｃｃ（３６８ｇ）に大豆由来レシチン（富士フイルム和光純薬工業株式会社製）３．７ｇ（大豆油１００質量％に対して１質量％）を溶かし、６０℃の恒温槽であたためた。水６００ｍＬを煮沸し、寒天１０ｇを溶かし（水３００ｍＬに５ｇの配分）、その後、６０℃まで冷却した。大豆由来レシチンが含有された大豆油に、蒸留水３００ｍＬ（寒天無）を一気に混ぜ込んでから、ブレンダーで攪拌した。これに、寒天を溶解した蒸留水３００ｍＬを、かなり少しずつ、ガラス棒でかき混ぜながら、混ぜ込んだ。得られた混合液を容器に移し、氷水で冷やしながら、ガラス棒でかきまぜ、固まりはじめた段階で冷蔵庫にいれ固化させた。これにより、実施例３のファントム（水：脂肪＝６０：４０（体積比））を得た。
【００４２】
実施例２〜３の製造方法において得られる混合液のエマルション型が水中油型であることを確認した。すなわち、乳化剤を使用し、水と油との体積比（水：油）が４０：６０であるエマルションを作製する際、実施例２〜３と同様に、油に水を一気に混ぜ込んだ場合には、水中油型エマルションが得られた（図１Ａ）。一方、油に水を徐々に混合（添加）した場合には、油中水型エマルションが得られた（図１Ｂ）。なお、乳化剤としては、大豆レシチンを使用し、油としては大豆油を使用した。
【００４３】
実施例１〜３のファントムの評価には、６波長時間分解分光システム（ＴＲＳ−２１−６Ｗ）及び磁気共鳴映像法（ＭＲＩ）を用いた。
【００４４】
＜ＴＲＳ−２１−６Ｗによる測定＞
（装置）
図２は、ＴＲＳ−２１−６Ｗによる測定に使用した装置の外観（図２Ａ）及び装置の構成のブロック図（図２Ｂ）を示す。
ＴＲＳシステムは、光源（Light Source）、２つの光検出器ユニット（Photodetector unit）、ＴＲＳ回路（TRS Circuit）、光ファイバ（optical fiber）から構成されている（図２）。光源は、それぞれが１００ｐｓから２００ｐｓ（半値全幅）のパルス幅を有するパルスレーザを放射する６つのレーザダイオード（７６２ｎｍ、８０２ｎｍ、８３８ｎｍ、９０８ｎｍ、９３６ｎｍ及び９７６ｎｍ）及びパルス繰り返し率５ＭＨｚの周波数を有する。
【００４５】
被検体に光源用光ファイバを介してパルスレーザを照射した。被検体を伝搬した光は検出用光ファイバで集められ、異なるタイプの光電子増倍管（ＧａＡｓとＩｎＧａＡｓ  ＰＭＴ、Ｈａｍａｍａｔｓｕ  Ｐｈｏｔｏｎｉｃｓ  Ｋ．Ｋ．）を有する２つの光検出器に導かれた。検出された光は、光検出器ユニットによって電気信号に変換され、時間相関単一光子計数（ＴＣＳＰＣ）法に基づいて設計されたＴＲＳ回路で処理された。処理された信号は、検出された光の時間的プロファイルとして取得された。なお、ＩｎＧａＡｓ  ＰＭＴのかわりに、ＭＰＰＣ（Ｍｕｌｔｉ−Ｐｉｘｅｌ  Ｐｈｏｔｏｎ  Ｃｏｕｎｔｅｒ）を使用することができる。
【００４６】
（データ分析）
ＴＲＳシステムでは、測定された時間プロファイルを光拡散理論に基づいて解析することにより、生体組織等の散乱媒体中の吸収係数（μａ）及び等方換算散乱係数（μｓ’）が測定される。散乱媒体中の光子の挙動は、光子拡散方程式（Ａｐｐｌ．Ｏｐｔ．２８（１２），２３３１−２３３６（１９８９）．）によって表される。
【数１】
2020030105.tif 000002
ここで、φ（ｒ，ｔ）は位置ｒ及び時間ｔにおける拡散光子フルエンス率を示し、Ｄ＝１／３μｓ’は光子拡散係数を示し、ｃは媒質中の光の速度を示し、Ｓ（ｒ，ｔ）は光源を示す。
【００４７】
ＴＲＳシステムでは、いくつかのタイプの境界条件で得られた光子拡散方程式の解析解を用いて、反射及び透過配置において測定された時間プロファイルを分析することができる。ここでは、ファントムは、オプトード間隔ｄの反射配置で測定された。Extrapolated boundary conditionを有する半無限均質モデルに対する式（１）の解から得られる拡散反射率Ｒ（ｄ、ｔ）は、以下のように表される。
【数２】
2020030105.tif 000003
ここで、ｚ０＝１／μｓ’は輸送平均自由行程であり、ｚｅ＝２Ｄ（１＋ｒｄ）／（１−ｒｄ）は線形外挿距離である。ｒｄは、境界における屈折率の不一致による内部反射率であり、媒質の屈折率（ｎ）に依存する近似式（ｒｄ＝−１．４４０ｎ−２）＋０．７１０ｎ−１＋０．６６８＋０．０６３６ｎ）から計算される。したがって、推定された時間プロファイルは、ＩＲＦ（Ｊ．Ｂｉｏｍｅｄ．Ｏｐｔ．１（３），３３０−３３５（１９９６）、Ｊ．Ｂｉｏｍｅｄ．Ｏｐｔ．８（３），５１２−５１７（２００３））の影響を考慮するために、Ｒ（ｄ、ｔ）での装置応答関数（ＩＲＦ）の畳み込みを計算することによって得られる。媒体のμａ及びμｓ’は、Ｌｅｖｅｎｂｅｒｇ−Ｍａｒｑｕａｒｄｔアルゴリズムに基づく非線形最小二乗法を用いて、測定されたプロファイルに推定プロファイルを適合させることによって決定する。各波長λについて得られた吸収係数は、以下の線形結合で表される。
【数３】
2020030105.tif 000004
ここでｍは吸光物質の数であり、Ｃｉは濃度であり、εｉ（λ）はｉ番目の吸光物質の吸収係数である。吸収係数は分光光度計で測定することができ、濃度は式（３）の連立方程式を解くことによって決定される。生物組織の近赤外波長における主要な吸光物質はデオキシヘモグロビン、オキシヘモグロビン、水及び脂肪であるが、提案されたファントムの吸光物質は水及び脂肪のみであると仮定した。また、乳化剤と凝固剤の吸収は無視できるものと仮定した。水の吸収スペクトルは、分光光度計（Ｕ−３５００、Ｈｉｔａｃｈｉ  Ｈｉｇｈ−Ｔｅｃｈｎｏｌｏｇｉｅｓ  Ｃｏｒｐｏｒａｔｉｏｎ、Ｔｏｋｙｏ、Ｊａｐａｎ）を用いて測定した。使用した脂肪の吸収スペクトルは文献（Ｊ．Ｂｉｏｍｅｄ．Ｏｐｔ．１０（５），０５４００４（２００５））に報告されている。
【００４８】
（ＭＲＩによる測定）
データ取得は、３．０Ｔ  ＭＲユニット（Ｄｉｓｃｏｖｅｒｙ  ７５０ｗ、ＧＥ  Ｈｅａｌｔｈｃａｒｅ、Ｗａｕｋｅｓｈａ、ＷＩ）を用いて行った。使用したプロトン密度脂肪分率（ＰＤＦＦ）パルスシーケンスとしては、ＭＲユニット（ＩＤＥＡＬ  ＩＱ、ＧＥ  Ｈｅａｌｔｈｃａｒｅ）の製造業者によって提供された市販のシーケンスを用いた（Ｒａｄｉｏｌｏｇｙ，２８４（１），２４４−２５４（２０１７）、Ｍａｇｎ．Ｒｅｓｏｎ．Ｍｅｄ．７７（４），１５１６−１５２４（２０１７））。パルスシーケンスとは、Ｔ１フリップアングルを使用してＴ１バイアスを制限し、Ｔ２エフェクトを修正するための６つのエコーを取得し、マルチピーク・ファット・モデルを使用するマルチポイント・ディクソン技術である。このシーケンスのパラメータは以下の通りである。
繰返し時間７．３ｍｓ；最短エコー時間３ｍｓ；視野４０×４０ｃｍ；マトリックス１６０×１６０；帯域幅１１１．１ｋＨｚ；フリップ角４°；セクション厚さ７ｍｍ；３６個のセクションを持つ１次元画像。
【００４９】
ＭＲユニットの製造元（ＩＤＥＡＬ  ＩＱ、ＧＥ  Ｈｅａｌｔｈｃａｒｅ）が提供するソフトウェアを使用して画像を処理し、水、脂肪、Ｒ２＊及び脂肪分率マップを作成した。ファントムを逆方向に再配置した後、データを２回取得し、２回の追加測定を行った。ファントムの脂肪分率は、医用イメージングシステム（ＳＹＮＡＰＳＥバージョン４．１、Ｆｕｊｉｆｉｌｍ  Ｍｅｄｉｃａｌ、Ｔｏｋｙｏ、Ｊａｐａｎ）を用いて測定した。水分画は、脂肪分を１００％から差し引くことによって定量した。
【００５０】
＜評価＞
各ファントムの水及び脂肪量を６波長ＴＲＳシステム及びＭＲＩで測定し、結果を理論値と比較した。ファントムの中心には、ＴＲＳシステムプローブを設置した。ＭＲＩによって得られた脂肪分画マップでは、２ｃｍ×５ｃｍの矩形関心領域（ＲＯＩ）をファントムの水平中心の表面の直下に配置した。各ファントムに対して４回の測定値の平均値を得た。
【００５１】
図３は、各種ファントムの上面、切断面及びＭＲＩの写真を示す。実施例１〜３のファントムは、型崩れなく容易に切り抜くことが可能であった。また、実施例１〜３のファントムは、均質であった（図３の切断面の写真参照）。
【００５２】
ＭＲＩにより各種ファントムの脂肪量を測定し、脂肪量分布は、ファントムの中心に位置する幅１ｃｍのＲＯＩ(region of interest)の表面から底面までをＩｍａｇｅＪ／Ｆｉｊｉソフトウェアを使用して評価した（Ｎａｔ．Ｍｅｔｈｏｄｓ，９（７），６７６−０８２（２０１２））。結果を図４に示す。図４に示す脂肪量分布の結果から、ファントムが均質であることが示された。
【００５３】
図５は、各種ファントムの光学特性（吸収係数及び散乱係数）の計測結果を示す。図５Ａは、各種ファントムの吸収係数の測定結果を示す。９３５ｎｍ及び９７５ｎｍにおける測定値と脂肪及び水のピーク吸収特徴は一致した。図５Ｂは、各種ファントムのＴＲＳ−２１−６Ｗで計測した散乱係数を示す。実施例１〜３のファントムは、生体に近い散乱係数（５〜１５ｃｍ−１）を有していた（図５Ｂ）。
【００５４】
図６は、６波長ＴＲＳシステム及びＭＲＩによる各ファントムの水及び脂肪量の測定結果を示す。６波長ＴＲＳシステム及びＭＲＩによる測定結果から、水及び脂肪量の測定値は、理論値に近く、所望の水・脂肪比率のファントムが正確に作製できていることが確認した。
【００５５】
次に、各種ファントムの長期安定性を評価した。結果を図７に示す。ファントムの長期安定の評価は、１週間毎にＴＲＳ−２１−６Ｗでファントムの光学特性（吸収係数及び散乱係数）を測定することにより実施した。図７に示すとおり、実施例のファントムは、少なくとも１カ月間生体に近い散乱係数を維持していた。また、時間経過により、吸収係数の大きな変化も確認されなかった。よって、実施例のファントムが、光特性（吸収係数及び散乱係数）の長期安定性に優れていることが示された。また、２カ月経過時点であっても、実施例１〜３のファントムは、生体に近い散乱係数を有していた。
【図１】
2020030105.tif 000005
【図２】
2020030105.tif 000006
【図３】
2020030105.tif 000007
【図４】
2020030105.tif 000008
【図５】
2020030105.tif 000009
【図６】
2020030105.tif 000010
【図７】
2020030105.tif 000011